(57)【要約】【課題】  光学素子の移動の安定性の点で有利な光学装置を提供する。【解決手段】  筒状をなし、筒状の軸を中心に回転可能であり、光学素子を移動させる回転部材と、筒状の固定部材と、軸の方向において回転部材と固定部材との間に配置され、軸の方向に回転部材を付勢するウェーブワッシャと、を備える光学装置において、軸の方向におけるウェーブワッシャの収縮量を制限する制限部を配する。【選択図】  図１
2019144337.tif 000002
【特許請求の範囲】
【請求項１】
筒状をなし、前記筒状の軸を中心に回転可能であり、光学素子を移動させる回転部材と、
筒状の固定部材と、
前記軸の方向において前記回転部材と前記固定部材との間に配置され、前記軸の方向に前記回転部材を付勢するウェーブワッシャと、を有し、
前記軸の方向における前記ウェーブワッシャの収縮量を制限する制限部を含むことを特徴とする光学装置。
【請求項２】
前記ウェーブワッシャは、前記固定部材に対して前記軸を中心に回転不能に位置決めされていて、
前記固定部材および前記ウェーブワッシャのうち少なくとも１つは、前記制限部を含む、
ことを特徴とする請求項１に記載の光学装置。
【請求項３】
前記回転部材は、前記軸の方向に前記光学素子を移動させるためのカムを有することを特徴とする請求項１又は２に記載の光学装置。
【請求項４】
前記光学素子は、レンズを含むことを特徴とする請求項３に記載の光学装置。
【請求項５】
前記回転部材は、前記軸を中心に前記光学素子を回転させることを特徴とする請求項１又は２に記載の光学装置。
【請求項６】
前記回転部材は、前記光学素子を保持していることを特徴とする請求項５に記載の光学装置。
【請求項７】
前記光学素子は、フィルタを含むことを特徴とする請求項６に記載の光学装置。
【請求項８】
レンズフードを含むことを特徴とする請求項５乃至７の何れか１項に記載の光学装置。
【請求項９】
前記制限部は、前記固定部材に配され且つ前記ウェーブワッシャに向かって突き出した凸部を含むことを特徴とする請求項１乃至８の何れか１項に記載の光学装置。
【請求項１０】
前記凸部は、前記固定部材とは接していない前記ウェーブワッシャの部分に間隔をもって対向していることを特徴とする請求項９に記載の光学装置。
【請求項１１】
前記回転部材、前記固定部材および前記ウェーブワッシャのうち少なくとも１つは、前記制限部を含むことを特徴とする請求項１に記載の光学装置。
【請求項１２】
前記制限部は、球体を含むことを特徴とする請求項１に記載の光学装置。
【請求項１３】
請求項１乃至１２の何れか１項に記載の光学装置と、
前記光学装置が像を形成する像面に配された撮像素子と、
を含むことを特徴とする撮像装置。
【発明の詳細な説明】
【技術分野】
【０００１】
本発明は、光学装置および撮像装置に関する。
【背景技術】
【０００２】
従来より、レンズ等の光学素子を保持する移動鏡筒を光軸方向に移動させてフォーカスやズームを行うレンズ装置（光学装置）が知られている。レンズ装置において、当該移動鏡筒を光軸方向に移動させるための構成として、コロ部材、カムを有する回転筒（カム環）、及び固定筒を含むものがある。コロ部材は、移動鏡筒に少なくとも２個以上配される。回転筒は、光軸周りに回転可能であり、コロ部材と対応するカム（例えばカム溝）を有する。固定筒は、移動鏡筒を光軸周りに回転させないように規制する構成（例えば直溝）を有する。
【０００３】
移動鏡筒は、回転筒を固定筒に対して回転操作することで、回転筒のカムを介して、そのトルクが伝達されて光軸方向に移動する。又、移動鏡筒を高精度に移動させるためには、光軸方向における回転筒のガタを低減させる必要がある。そのために、ウェーブワッシャ等の弾性部材を配して、それにより回転筒を光軸方向に付勢する構造が知られている（特許文献１）。
【先行技術文献】
【特許文献】
【０００４】
【特許文献１】特開平４−３５３８０９号公報
【発明の概要】
【発明が解決しようとする課題】
【０００５】
特許文献１に開示された構成の場合、例えばレンズ装置又は撮像装置の落下等により、回転筒に対して光軸方向の衝撃力が作用しうる。その場合、ウェーブワッシャには回転筒の質量に依存した衝撃力が作用しうる。当該衝撃力は、ウェーブワッシャに、過大な応力を発生させて塑性変形させうる。
【０００６】
本発明は、例えば、光学素子の移動の安定性の点で有利な光学装置の提供を目的とする。
【課題を解決するための手段】
【０００７】
上記課題を解決するために、本発明の一態様に係る光学機器は、
筒状をなし、その軸を中心に回転可能であり、光学素子を移動させる回転部材と、
筒状の固定部材と、
前記軸の方向において前記回転部材と前記固定部材との間に配置され、前記軸の方向に前記回転部材を付勢するウェーブワッシャと、
を有し、
前記軸の方向における前記ウェーブワッシャの収縮量を制限する制限部を含むことを特徴とする。
【発明の効果】
【０００８】
本発明によれば、例えば、光学素子の移動の安定性の点で有利な光学装置を提供できる。
【図面の簡単な説明】
【０００９】
【図１】本発明の第１の実施例に係るレンズ鏡筒の構成を模式的に示す分解斜視図である。
【図２】図１に示したレンズ鏡筒の組立断面図である。
【図３】図１に示したウェーブワッシャと後部鏡筒との関係を説明する図である。
【図４】図４で述べたウェーブワッシャと後部鏡筒の組立状態を説明する組立断面図である。
【図５】本発明の第２の実施例に係るレンズフードの構成を模式的に示す分解斜視図である。
【図６】図５に示したレンズフードの組立断面図である。
【図７】図５に示した回転リング及び周辺の構成を示す詳細な組立断面図である。
【図８】図５に示したウェーブワッシャと押さえ板との関係を説明する図である。
【発明を実施するための形態】
【００１０】
以下に、本発明を実施する好ましい形態について、添付の図面に基づいて詳細に説明する。ただし、以下の実施例で説明される寸法、形状、及び構成要素の相対的な位置等は任意であり、本発明が適用される装置の構成又は様々な条件に応じて変更できる。又、同一であるか又は機能的に類似している要素を示す場合には、図面間で同じ参照符号を用いる。
【００１１】
[第１の実施例]
以下に、図１から図４を参照して、本発明の第１の実施例に係るレンズ鏡筒について説明する。図１は、本発明の第１の実施例に係るレンズ鏡筒の構成を模式的に示す分解斜視図である。なお、本明細書において、図中光軸Ｚ−Ｚ方向において、便宜上図中左側（前側鏡筒５が位置する側）を前方とし、図中右側（後部鏡筒１が位置する側）を後方とするが、これら方向は具体的な方向を限定するものではない。図１に示すように、本実施例に係るレンズ鏡筒は、後部鏡筒１、ウェーブワッシャ２、保持部材３、カム環４、及び前側鏡筒５を備える。又、該レンズ鏡筒は、レンズ装置として接続される撮影装置本体１６と共に、撮影装置を構成する。
【００１２】
図１に示すように、環状のウェーブワッシャ２は、同じく環状の後部鏡筒１に設けられた円形の溝部１ｂ（図３（ｂ）参照）に格納される。環状の保持部材（レンズ保持枠）３は、略中央に移動レンズ群Ｌ３を保持する。保持部材３の周囲には、複数のコロ部材３ａがビス止めされており、これらコロ部材３ａが円筒状のカム環４の周面に設けられたカム溝４ｅに嵌合する事で、保持部材３の光軸Ｚ−Ｚ方向の位置を決めている。カム環４は、円筒の径方向に対して配置される（円周面上に配置される）摺動面４ａ及び摺動面４ｂと、円筒の中心軸である光軸Ｚ−Ｚ方向に対して配置される（円筒端面上に配置される）摺動面４ｃ及び摺動面４ｄを有している。これらカム環４、保持部材３、及びウェーブワッシャ２を内包した円筒状の前側鏡筒５を後部鏡筒１に固定することで、レンズ鏡筒は構成される。
【００１３】
次に、図１で説明したレンズ鏡筒の組立断面図である図２を参照して、レンズ鏡筒の構造についてより詳細に述べる。図２に示す通り、前側鏡筒５は略円筒形状を有し、円筒内周の後方側に摺動面５ａが、前方側に摺動面５ｂが配される。カム環４は前側鏡筒５に対して嵌め込まれ、摺動面４ａを摺動面５ａに、摺動面４ｂを摺動面５ｂに径嵌合させることで、前側鏡筒５によって光軸Ｚ−Ｚ廻りに回転自在に保持されている。又、前側鏡筒５の前方端には内側に広がるフランジ部が設けられており、該フランジ部内面には、カム環４の摺動面４ｃと摺動可能に当接する摺動面５ｃが配される。カム環４の摺動面４ｄは、後部鏡筒１（溝部１ｂ）に格納されるウェーブワッシャ２と当接する。摺動面４ｃを摺動面５ｃで受け、摺動面４ｄをウェーブワッシャ２により光軸Ｚ−Ｚ方向に付勢させることで、カム環４は、光軸Ｚ−Ｚ方向のガタを無くした状態で後部鏡筒１と前側鏡筒５とにより保持される。
【００１４】
図３を参照し、ウェーブワッシャ２と後部鏡筒１の詳細構造について次に説明する。図３（ａ）はウェーブワッシャ２の詳細を示す正面図であり、図３（ｂ）は後部鏡筒１を前方から見た詳細を示す正面図である。ウェーブワッシャ２には位置決め用の第１の凸部２ｃと第２の凸部２ｄが設けられており、後部鏡筒１の溝部１ｂに設けられた第１の凹部１ｃと第２の凹部１ｄにそれぞれ嵌合して組込まれる。このように嵌合する部分を２箇所設けることで、ウェーブワッシャ２の組み込み時の位相と、裏表の組込方向とを一定に規制している。
【００１５】
ウェーブワッシャ２には、後部鏡筒１側に凹となる谷部２ａと、後部鏡筒１側に凸となる山部２ｂとが環状面上に交互に設けられている。これら谷部２ａや山部２ｂがカム環４と後部鏡筒１とにより光軸Ｚ−Ｚ方向に圧縮されることで、カム環４を光軸Ｚ−Ｚ方向に付勢するバネ力を発生している。後部鏡筒１の溝部１ｂの底面にはウェーブワッシャ２に向けて突き出す凸部１ａが複数設けられており、これら凸部１ａはウェーブワッシャ２の谷部２ａと光軸Ｚ−Ｚ周りに同位相となるように配置されている。
【００１６】
次に、ウェーブワッシャ２と後部鏡筒１の組立状態について、これらの組立断面図である図４を参照して説明する。なお、図４は、上述した谷部２ａの一つ及びこれに対応する凸部１ａの一つを切断する面より得られる断面図を示している。図４に示すように、ウェーブワッシャ２の谷部２ａの背後には、後部鏡筒１の凸部１ａが配置されている。通常状態では、谷部２ａの凹部の窪み量或いは凸部１ａの突き出し量を適当に設定することにより、谷部２ａと凸部１ａとが互いに干渉しない位置関係となっている。
【００１７】
例えば取扱者の不注意等により、レンズ鏡筒を取り付けた撮像装置を落下させてしまった場合、比較的重いレンズ鏡筒側が下に向いて落下することが多い。その結果、レンズ鏡筒は光軸Ｚ−Ｚ方向に対する外部衝撃を受けることとなる。この様な外部衝撃をレンズ鏡筒が受けた場合、カム環４はウェーブワッシャ２を潰すように移動する。従来であれば、想定されている以上の応力がウェーブワッシャ２、特に谷部２ａに与えられるということは、ウェーブワッシャ２に塑性変形が生じる可能性を包含する。しかし、本実施例では、ウェーブワッシャ２の谷部２ａに与えられる衝撃を後部鏡筒１に設けられた凸部１ａが受けるため、ウェーブワッシャ２は一定以上の変形をすることが無い。従って、レンズ鏡筒に対する光軸Ｚ−Ｚ方向の外部衝撃を受けた場合であっても、ウェーブワッシャが塑性変形をおこす可能性は従来より大きく低減される。
【００１８】
なお、上述した構成において、ウェーブワッシャ２は、後部鏡筒１の凸部１ａに対応した位置に谷部２ａが配置されるように溝部１ｂに収容されなければこのような効果は好適に得ることができない。本実施例では、ウェーブワッシャ２に対して置決め用の第１の凸部２ｃと第２の凸部２ｄを設け、後部鏡筒１の溝部１ｂに第１の凹部１ｃと第２の凹部１ｄを設けている。そしてこれらを用いて、ウェーブワッシャ２を溝部１ｂに対して所望の位相或いは向きで収容させることを可能としている。このような位置決め用の構成として位置決め部をウェーブワッシャ２に配し、後部鏡筒１に該位置決め部に対応する対応部を配することにより、凸部１ａの効果を好適に得ることができる。
【００１９】
又、例えば凸部１ａの頂部がウェーブワッシャ２の谷部２ａと常に当接する位置関係にある、或いはウェーブワッシャ２が塑性変形に至る変形をした場合であっても当接しない位置関係にある場合には、上述した凸部１ａの効果を好適に得ることはできない。これに対し、本実施例では、谷部２ａの凹部の窪み量或いは凸部１ａの突き出し量を適当に設定して、通常状態で谷部２ａと凸部１ａとが互いに干渉しない位置関係としている。より具体的には、凸部１ａは、溝部１ｂの底面からウェーブワッシャ２が最も離れた位置（谷部２ａの溝部１ｂ対向面）までの間隔から塑性変形に至る所定の変形量を差し引いた値と、該間隔との間となる頂部高さを有すればよい。或いは、凸部１ａは、対向するウェーブワッシャ２の谷部２ａの対抗面と、塑性変形に至る所定の変形量に対応する所定間隔を空けるように、ウェーブワッシャ２の谷部２ａの形状に応じた頂部形状を有すればよい。このように凸部１ａの頂部高さや形状を定めることにより、ウェーブワッシャ２にから適度な付勢力を得つつ、衝撃時の塑性変形を低減するという効果が好適に得られる。
【００２０】
以上に述べたように、本実施例によれば、レンズ鏡筒に加えられた外部衝撃によるカム環４の移動を谷部２ａのみにて受けるのではなく、塑性変形に至る過剰な移動については後部鏡筒１の凸部によって規制することとしている。よって、光軸Ｚ−Ｚ方向のガタを抑制するウェーブワッシャ２が塑性変形に至る可能性を低減でき、レンズ鏡筒の安定した動作を続けることが可能となる。
【００２１】
以上に述べたように、本実施例におけるレンズ装置は、移動レンズ群（Ｌ３）を光軸Ｚ−Ｚ方向に移動可能に収容し、本発明における光学機器の一態様として例示される。該レンズ装置において、カム環４は移動レンズ群（Ｌ３）をカム溝４ｅにより光軸Ｚ−Ｚ方向に移動可能に支持し、本発明における回転部材の一態様として例示される。又、レンズ鏡筒（１，５）はカム環４の外周面及び光軸方向における移動レンズ群の被写体側及び像面側の両端面に配置される摺動面（４ａ，４ｂ，４ｃ，４ｄ）を介してカム環４を光軸周りに回転可能に収容する。このレンズ鏡筒（１，５）は、環状（筒状）の固定部材の一態様として例示される。本実施例では、この回転部材（４）は、移動レンズ群（Ｌ３）を移動させるためのカム（コロ部材３ａ）を有する。回転部材（４）は移動レンズ群（Ｌ３）を保持し、これを光軸を中心として回転させる。ウェーブワッシャ２は、カム環４の像面側の端面に設けられた摺動面４ｄと対応する前記レンズ鏡筒の面（２ｂ）との間に配置される。又、規制手段は、例えば移動可能な鋼球等の態様の場合であれば、ウェーブワッシャ２とカム環４との間、及びウェーブワッシャ２と溝部１ｂの底面との間の少なくとも何れかに配置されることができる。この規制手段は、光軸Ｚ−Ｚ（軸）方向におけるウェーブワッシャ２の収縮量を制限する制限部として機能する。
【００２２】
即ち、本発明の一態様に係る光学機器は、回転部材（４）と、ウェーブワッシャ２と、環状固定部材（１，５）と、規制手段（１ａ）とを備える。回転部材（４）は、移動レンズ群（Ｌ３）の移動時において、光軸Ｚ−Ｚ中心に回転可能とされる。この回転部材（４）は、筒状をなし、その軸を中心に回転可能であり、移動レンズ群（Ｌ３）等の光学素子を移動させる。なお、移動レンズ群（Ｌ３）は光学素子の一例であり、単一のレンズ等、公知の種々の光学素子を用いることができる。ウェーブワッシャ２は、溝部１ｂに収容されて、回転部材（４）の軸方向端面（４ｄ）に対して摺動可能に当接する。そして、光軸の移動方向において回転部材（４）と環状固定部材（１）との間に配置され、光軸方向に回転部材（４）を付勢する。筒状の環状固定部材（１）は、回転部材（４）の光軸周りの回転を安定させるために、回転部材（４）と共にウェーブワッシャ２を挟持して、ウェーブワッシャ２により回転部材（４）と共にＺ−Ｚ方向に付勢される。規制手段（１ａ）は、回転部材（４）によりウェーブワッシャ２に対して環状固定部材（１）に向かう荷重が付加された場合に、ウェーブワッシャ２の環状固定部材及び回転部材の各々が配置される方向の少なくとも一方への変形を所定の変形量までに規制する。
【００２３】
なお、本実施例では、凸部１ａと谷部２ａとの配置を所望の位置関係とするために、ウェーブワッシャ２に、環状固定部材（１）に対して位置決めするための位置決め部（２ｃ，２ｄ）を配する。又、これら位置決め部に対応するように、環状固定部材（１ｂ）には位置決め部に対応する対応部（１ｃ，１ｄ）を配する。位置決め部は、単一ではなく、環状の中心周りの回転方向の配置、及び環状固定部材に対する対向面の表裏を規定するために、複数設けられることが望ましい。これにより、ウェーブワッシャ２は、環状固定部材（１）に対して光軸を中心に回転不能に位置決めされて、溝部１ｂにより常に一定の位相にて収容されることとなる。
【００２４】
なお、本実施例において、規制手段は、レンズ鏡筒（溝部１ｂの底面）からウェーブワッシャ２に向けて突き出す凸部（１ａ）の態様として例示される。なお、規制手段（制限部）は、環状固定部材（１）に配されてウェーブワッシャ２に向けて突き出す凸部（１ａ）とすることが望ましい。しかし規制手段を凸部（１ａ）とした場合は、環状固定部材（１，５）だけでなく、該環状固定部材（１，５）とウェーブワッシャ２との少なくとも何れかに設けてもよい。ここで、ウェーブワッシャ２の塑性変形の低減のために、この凸部１ａは、環状固定部材（１）とは接していないウェーブワッシャ２の部分に対して間隔を有して対向するように配置される。そして、この凸部１ａの溝部底面からの高さは、所定の頂部高さとされることが望ましい。この場合の頂部高さとしては、レンズ鏡筒表面（溝部１ｂの底面）からウェーブワッシャ２の谷部２ａの対向面までの間隔から塑性変形に至る所定の変形量を差し引いた値と、該間隔との間となる頂部高さを有すればよい。或いは、凸部１ａと対向するウェーブワッシャ２（谷部２ａ）と、塑性変形に至らない変形量に対応する所定間隔を空けるようにウェーブワッシャ２の形状に応じた頂部形状としてもよい。
【００２５】
[第２の実施例]
本発明では、光軸方向の設計上の隙間や製造上の誤差等のガタを低減させて、回転部材等を光軸方向に滑らかに動作させるためにウェーブワッシャ等の弾性部材により回転部材に対して付勢する構造において、該弾性部材の塑性変形を低減する。第１の実施例では、カム環や操作環を備えたレンズ鏡筒の例として、レンズ鏡筒に含まれるカム環を回転部材とし、ウェーブワッシャによりカム環を後部鏡筒に付勢する構成ついて述べている。これに対し、本実施例では、回転部材として例えば光学フィルタを光軸周りに回転させてレンズフードに該光学フィルタをねじ込み固定する構成について述べる。この場合、該光学フィルタのフード枠に対する過剰なねじ込みによるウェーブワッシャの塑性変形を低減し、光学フィルタ等の各種フィルタの取り付けを容易とする。
【００２６】
以下に、図５から図８を参照して、本発明の第２の実施例に係るレンズフードについて説明する。図５は、本発明の第２の実施例に係るレンズフードの構成を模式的に示す分解斜視図である。なお、本明細書において、図中光軸Ｚ−Ｚ方向において、便宜上図中左側（図５において光学フィルタ６が位置する側）を前方とし、図中右側（フード枠８が位置する側）を後方とするが、これら方向は具体的な方向を限定するものではない。図５に示すように、本実施例に係るレンズフード７は、フード枠８、フード本体９、回転リング１０、ウェーブワッシャ１１、押さえ板１２、ネジ１３、及びフードつまみ１４を備える。レンズフード７には、光学フィルタ６が着脱自在に装着される。又、レンズフード７は、例えば第１の実施例で述べたレンズ鏡筒（レンズ装置１５）に接続され、更にレンズ装置１５が接続される不図示の撮影装置本体と共に、撮影装置を構成する。
【００２７】
次に、図５に示したレンズフードの組立断面図である図６、及び回転リング周辺を詳細に示す組立断面の要部拡大図である図７を参照して、本実施例に係るレンズフードの構造についてより詳細に述べる。フード枠８は、樹脂に代表される弾性材料により形成される略環状の形状を有する。そして、組立て時における光軸後方より順に第１の内径部８ａ、テーパー面８ｃ、及び第２の内径部８ｂが設けられる。第１の内径部８ａの内径は第２の内径部８ｂより小さく、テーパー面８ｃは、第１及び第２の内径部（８ａ，８ｂ）を連結するように、像側（後方）に向けて径が縮小するようにこれら内径部の間に設けられる。又、第１の内径部８ａと第２の内径部８ｂとの間には、円周方向に所定の幅を有し、フード枠８の物体側から像側（光軸Ｚ−Ｚ方向における前方から後方）に貫通する切り欠き８ｄが設けられる。更に、第２の内径部８ｂより物体側（前方）に配置される端面にはネジ穴８ｅが設けられる。
【００２８】
フード本体９は例えばゴム等の材料からなる略円筒状の部材であり、フード枠８に対して接着や一体成型により一体的に接合される。略環状の形状からなる回転リング１０は、フード枠８の第２の内径部８ｂに対して、回転可能に挿入される。回転リング１０には、フィルタネジ１０ａ、フィルタつまみ１０ｂ、フード枠８のテーパー面８ｃと略平行となる傾斜角を有したテーパー面１０ｃ、及びフランジ部１０ｄが設けられる。フィルタネジ１０ａは、後述する光学フィルタ６に設けられたネジ部と螺合して光学フィルタ６を回転リング１０に固定するために用いられる。フィルタつまみ１０ｂはフード枠８の切り欠き８ｄに挿嵌されて、レンズフード７の像側の面（フード枠８の後方）まで貫通する。
【００２９】
フランジ部１０ｄは、環状形状においてフィルタネジ１０ａが設けられた領域に対して外方に張り出して前方に向かう環状面１０ｅと回転リング１０の端面であって後方に向かう環状面とが設けられる。ウェーブワッシャ１１は、回転リング１０のフランジ部１０ｄの被写体側（前方）に向かう環状面１０ｅに対向して配置される。そして、後述する環状の部材である押さえ板１２によってフランジ部１０ｄ方向に圧縮され、回転リング１０に対して、光軸方向の付勢を行う。押さえ板１２は、フード枠８のネジ穴８ｅに螺合するネジ１３により、フード枠８に対して固定される。
【００３０】
フードつまみ１４はフード枠８に設けられたネジ穴に対して螺合しており、フード枠８の略中心方向（光軸）に向けて進退可能に構成されている。上述したように、光学フィルタ６は回転リング１０のフィルタネジ１０ａにねじ込み固定され、フード枠８の後方に突き出しているフィルタつまみ１０ｂによる回転リング１０の操作により、光軸Ｚ−Ｚ廻りに回転リング１０と一体的に回転操作される。上述したように、回転リング１０はウェーブワッシャ１１により光軸後方（フード枠のテーパー面８ｃ方向）に付勢され、フード枠８のテーパー面８ｃは回転リング１０のテーパー面１０ｃに接触する。
【００３１】
図８を参照し、ウェーブワッシャ１１と押さえ板１２の詳細について次に説明する。図８（ａ）は、押さえ板１２の詳細を示す正面図であり、図８（ｂ）は、ウェーブワッシャ１１を前方から見た詳細を示す正面図である。ウェーブワッシャ１１には位置決め用の凸部１１ｃが設けられており、フード枠８に設けられた不図示の凹部に嵌合して組込まれる。このように嵌合する部分を設けることで、ウェーブワッシャ１１の押さえ板１２との取り付け時の位相を一定としている。
【００３２】
ウェーブワッシャ１１には、押さえ板１２側に凹となる谷部１１ａと、押さえ板１２側に凸となる山部１１ｂとが環状面上に交互に設けられている。これら谷部１１ａと山部１１ｂが回転リング１０と押さえ板１２とにより光軸Ｚ−Ｚ方向に圧縮されることで、回転リング１０を光軸Ｚ−Ｚ方向に付勢するバネ力を発生している。押さえ板１２のウェーブワッシャ１１と対向する面上には、該ウェーブワッシャ１１に向けて突き出す凸部１２ａが複数設けられており、これら凸部１２ａはウェーブワッシャ１１の谷部１１ａと光軸Ｚ−Ｚ周りに同位相となるように、配置されている。
【００３３】
次に、ウェーブワッシャ１１と押さえ板１２等の組立て状態について、これらの組立断面図である図７を参照して説明する。なお、図７は、上述した谷部１１ａの一つ及びこれに対応する凸部１２ａの一つを切断する面より得られる断面図を示している。図７に示すように、ウェーブワッシャ１１の谷部ａの前面には押さえ板１２の凸部１２ａが設けられている。通常状態では、谷部１１ａの凹部の窪み量或いは凸部１２ａの突き出し量を適当に設定することにより、谷部１１ａと凸部１２ａとが互いに干渉しない位置関係となっている。
【００３４】
フィルタネジ１０ａを用いて光学フィルタ６を回転リング１０に取り付ける際、例えば取扱者の不注意等により光学フィルタ６を過剰に回転リング１０にねじ込もうとする場合がおこり得る。この場合、回転リング１０を光軸Ｚ−Ｚ方向の前方に引き出す力が過剰に発生し、回転リング１０はウェーブワッシャ１１を潰すように移動する。このような外力がウェーブワッシャ１１に付加されると、想定されている以上の変形をウェーブワッシャ１１に生じさせ、該ウェーブワッシャ１１に塑性変形が生じる可能性を高めてしまう。しかし、本実施例では、ウェーブワッシャの谷部１１ａに与えられる過剰な外力を押さえ板１２に設けられた凸部１２ａが受けるため、ウェーブワッシャ１１は一定以上の変形をすることが無い。従って、光学フィルタ６の取り付け時に締め込み過ぎ等に特に留意せずとも、該光学フィルタ６等の光軸Ｚ−Ｚ方向のガタを抑制するウェーブワッシャが塑性変形をおこす可能性を低減できる。
【００３５】
なお、上述した実施例において、例えば第１の実施例では凸部（１ａ）を後部鏡筒１に直接設け、第２の実施例では凸部（１２ａ）を押さえ板１２に直接設けている。しかし、凸部を他の構成に配する形態に限られず、これら実施例における凸部と同様の作用を呈する構成を後部鏡筒や押さえ板とは別部材として例えば鋼球等を配することとしてもよい。又、これら凸部は、ウェーブワッシャとカム環等との摺動を考慮した場合には後部鏡筒等の固定された部材に配されることが好ましい。しかし、この凸部を鋼球等により構成した場合、これら鋼球はカム環等の摺動にも対応できることから、ウェーブワッシャ２の山部２ｂに対応するように、カム環４の摺動面４ｄと該ウェーブワッシャ２との間にこれらを配しても、略同様の効果が得られる。又、鋼球に限られず、ある程度以上の硬度を有する球体であれば、カム環４の摺動面４ｄと該ウェーブワッシャ２との間に配することができる。
【００３６】
本実施例においては、ネジ部を有する光学フィルタ６が固定され、レンズ装置１５への不要な入射光を低減するレンズフードが光学機器の一態様として例示される。即ち、本実施例では光学素子としてフィルタを用いた例を示している。この場合、光軸Ｚ−Ｚ中心に回転されて光学フィルタ６がねじ込みにより固定される回転リング１０が、光軸中心に回転する回転部材の例となる。又、環状固定部材には押さえ板１２が対応する。本実施例において、押さえ板１２は、不要な入射光を遮るフード部（フード本体９）が固定されて回転リング１０を回転可能に収容するフード枠８に固定される。ウェーブワッシャ１１は、回転リング１０と押さえ板１２との間に設けられた空間に収容され、これらによりに挟持される。その際、ウェーブワッシャ１１は、押さえ板１２と共に回転リング１０をフード枠８に向けて付勢し、これにより該回転リング１０はフード枠８における第２の内径部８ｂとテーパー面８ｃが設けられた部分とにより形成される空間に収容される。そして、規制手段は、ウェーブワッシャ１１と回転リング１０との間、及びウェーブワッシャ１１と押さえ板１２との間の少なくとも何れかに配置される。具体的には、本実施例における規制手段は、押さえ板１２に設けられた、ウェーブワッシャ１１に向けて突き出す凸部１２ａの形態を有する。即ち、本実施例における規制手段（制限部）としての凸部（１２ａ）は、環状固定部材（１２）に対して規制手段（制限部）として配されている。しかし、該凸部（１２ａ）は、環状固定部材（１２）、回転部材（回転リング１０）、及びウェーブワッシャ１１の少なくとも何れかに設けられてもよい。
【００３７】
なお、上述したように、規制手段は、その一態様として鋼球等の例えば押さえ板１２やウェーブワッシャ１１と同等以上の硬度を有する球体を含む。この場合、この球体は、ウェーブワッシャ（２，１１）と当接する部材（１ｂ，４ｄ，１０，１２）、例えば押さえ板表面からウェーブワッシャが最も離れた位置までの間隔から所定の変形量を差し引いた値と、該間隔との間の値の外径を有ればよい。以上に述べた実施例において、本発明は、光学装置において回転する部材に付勢力を与える環状のウェーブワッシャと総称される部材の塑性変形の予防を目的としている。そして、本発明におけるウェーブワッシャとは、環状且つ該環状を構成する面に垂直な方向に突き出す山部と窪む谷部とを環状面内に有し、これら山部及び谷部が変形することで該垂直な方向に対して付勢力を生じさせる弾性部材の総称として用いられる。従って、例えばウェーブワッシャの材料としては、金属の他に、樹脂、ゴム等も弾性部材も含まれる。又、本発明は、以上に述べたレンズ鏡筒やレンズフード等に例示される光学機器を用いた撮影装置も包含する。
【００３８】
以上、本発明の好ましい実施例を参照して本発明について説明したが、本発明はこれらの実施例に限定されるものではない。本発明の趣旨に反しない範囲で変更された発明、及び本発明と均等な発明も本発明に含まれる。又、上述した各実施例等は、本発明の趣旨に反しない範囲で適宜組み合わせることができる。又、本発明は光学機器のガタ取り構造に関するものであるが、当該構造を有する光学装置、該光学装置と該光学装置が像を形成する像面に配された撮像素子とを備えた撮影装置、及び当該構造を有する撮影装置、電子機器等としても把握可能である。
【符号の説明】
【００３９】
１  ：  後部鏡筒
２、１１  ：  ウェーブワッシャ
４  ：  カム環
５  ：  前側鏡筒
６  ：  光学フィルタ
８  ：  フード枠
１０：  回転リング
１２：  押さえ板
【図１】
2019144337.tif 000003
【図２】
2019144337.tif 000004
【図３】
2019144337.tif 000005
【図４】
2019144337.tif 000006
【図５】
2019144337.tif 000007
【図６】
2019144337.tif 000008
【図７】
2019144337.tif 000009
【図８】
2019144337.tif 000010